(57)【要約】      （修正有）【課題】サーモバルブのリセット状態を外部から一目で認識できるようにする。【解決手段】温度制御部１０の温度変化に応じて主弁８を開閉するサーモバルブに於いて、主弁８の一次側と二次側の間にバイパス路１５を設け、バイパス路１５を開閉する弁体１７を開閉移動可能に支持する弁棒１８を摺動自在に支持してフランジ２０の外面に貫通させる貫通孔１９と、弁棒１８を弁体１７を閉方向に付勢するスプリング２５と、貫通孔１９の開口から突出された弁棒１８の端部にピン２２を介して回動可能に取り付けられたレバー２３とを備え、レバー２３は、所定の方向Ａに回動されたとき、レバー２３の先端２３ａが回動してフランジ２０の外面に押接されて弁棒１８が引き出す方向に摺動されて弁体１７がバイパス路１５を開き、レバー２３に加える力が解除されたとき、弁体１７が押し込む方向に摺動されてバイパス路１５を閉じるようにした。【選択図】図１
2014194257.tif 000002
【特許請求の範囲】
【請求項１】
液相の液化ガスの入口に連通された入口圧力室と、液相の液化ガスの出口に連通された出口圧力室と、前記入口圧力室と前記出口圧力室との連通路を開閉する主弁と、前記連通路を閉じる方向に前記主弁を付勢する第１の弾性部材と、前記連通路を開く方向に前記主弁を付勢する駆動部と、前記主弁をバイパスして前記入口圧力室と前記出口圧力室を連通するバイパス路と、該バイパス路を開閉するバイパス弁と、液相の液化ガスを気化させる蒸発部の温度が設定温度以下に低下したときに前記駆動部の付勢力を下げて前記主弁を閉じる制御部を備え、
前記バイパス弁は、前記バイパス路を開閉する弁体と、該弁体を開閉方向に移動可能に支持する弁棒と、該弁棒を摺動自在に気密に支持するとともに本体部の外面に開口された貫通孔と、前記弁棒を前記弁体の閉方向に付勢する第２の弾性部材と、前記貫通孔の開口から突出された前記弁棒の端部にピンを介して回動可能に取り付けられたレバーとを備えてなり、
前記レバーは、当該レバーが所定の方向に回動されたとき、当該レバーの先端が回動して前記本体部の外面に押接され、該押接により前記弁棒が前記貫通孔から引き出す方向に摺動されて前記弁体が前記バイパス路を開き、該レバーに加える力が解除されたとき、前記第２の弾性部材により前記弁体が押し込む方向に摺動されて前記バイパス路を閉じるように形成されてなるサーモバルブ。
【請求項２】
前記レバーは、前記弁棒が前記貫通孔に押し込まれて前記弁体が前記バイパス路を閉じている位置で、前記ピン近傍のレバー側面が前記本体部の外面に当接するように形成されていることを特徴とする請求項１に記載のサーモバルブ。
【請求項３】
前記弁棒は、前記貫通孔の開口近傍の前記本体部に形成された溝内に摺動自在に係合された係合部を備えていることを特徴とする請求項１に記載のサーモバルブ。
【請求項４】
前記レバーは、前記本体部の外面に摺動されて回動する前記先端の角部が前記ピンを中心として半径が徐々に大きくなる曲面に形成されてなることを特徴とする請求項１に記載のサーモバルブ。
【発明の詳細な説明】
【技術分野】
【０００１】
本発明は、サーモバルブに係り、具体的には、ＬＰＧ等の液化ガスの蒸発器の温度異常低下を検知したときに蒸発器へ液化ガスの供給を遮断するサーモバルブに関する。
【背景技術】
【０００２】
ＬＰＧ等の液化ガスは、ボンベなどの容器に収容された液相の液化ガスを蒸発器に導き、蒸発器で気化及び昇温してガス消費機器に連続的に供給されるようになっている。例えば、特許文献１に記載された蒸発器は、電気ヒータ等の熱源で加熱される金属部材などの熱媒体で形成した熱交換流路を備えた蒸発部を備え、液相の液化ガスを蒸発部に導入して気化させるとともに加熱して、ガス消費機器に供給するようになっている。また、ガス消費機器のガス消費量の変動などに合わせて、蒸発部へ流入する液相の液化ガス量を制御する気化圧力調整弁が設けられている。この気化圧力調整弁は、液相の液化ガスの入口圧力室と蒸発部の入口圧力室の連通路を開閉する調整弁を設け、蒸発部の入口圧力室の圧力を所定値に保持するように調整弁の開度を制御するように構成されている。
【０００３】
このような蒸発器において、熱源の停止等の異常が発生すると、蒸発部の蒸発能力が急激に低下して液相の液化ガスがそのままガス消費機器に供給されるおそれがある。そこで、特許文献１では、蒸発部の温度低下を検出したとき、速やかにサーモバルブを全閉にして、蒸発部への液相の液化ガスの流入を遮断する保安機構を設けている。気化圧力調整弁は、蒸発部の入口圧力室の圧力と第１のスプリングの弾性力の合力で調整弁を閉じる方向に付勢し、液相の液化ガスの入口圧力と第２のスプリングの弾性力の合力で調整弁を開く方向に付勢して形成されている。そして、ガス消費量が増加して蒸発部の入口圧力が低下すると、調整弁が開いて液相の液化ガスの流入量が増大され、ガス消費量が減少して蒸発部の入口圧力が上昇すると、調整弁が閉じて液相の液化ガスの流入量を減少するように形成されている。そこで、保安機構は、第２のスプリングの弾性力を減少させて調整弁を閉じるようにするため、第２のスプリングに位置を規定するスプリング押えを、第２のスプリングの付勢方向に摺動自在に設けるとともに、蒸発部の温度が定常状態のときはスプリング押えを所定の位置で拘束しておき、蒸発部の温度が設定温度以下に低下したときにその拘束を解除する係合機構が設けられている。
【０００４】
この係合機構は、スプリング押えの摺動面に係合溝を形成し、係合溝に対向させて弁本体部の外壁に形成した貫通孔に係合ピンを挿入し、蒸発部の温度に応じて回動されるリンク機構により係合ピンを係合溝の方向に押圧して形成されている。これにより、蒸発部の温度が設定温度以上の定常時には係合ピンが係合溝に係合してスプリング押えが定常位置に保持される。また、蒸発部の温度が異常に低下したときは係合ピンと係合溝の係合が解除されて気化圧力調整弁が閉じ、蒸発部への液相の液化ガスの流入を遮断して、液相の液化ガスがガス消費機器に供給される異常を防止することができる。
【０００５】
また、特許文献１には、保安機構が作動して気化圧力調整弁が全閉された後、熱源の停止等の異常が解消され、蒸発部の蒸発能力が回復した場合は、種々の安全を確認したうえで、マニュアル操作により、保安機構をリセットするリセット機構が備えられている。リセット機構は、スプリング押えを所定の位置に戻して、係合ピンと係合溝を係合させるように構成されている。つまり、リセット機構は、気化圧力調整弁の本体部の外壁面からスプリング押えを押し戻す方向に動かすリセットピンを挿入し、本体部の外壁面に設けた支持部材に回動可能に支持させたリセット棒の先端部をリセットピンの一端に当接させて形成されている。
【先行技術文献】
【特許文献】
【０００６】
【特許文献１】特開平１１−１１４４０５号公報
【発明の開示】
【発明が解決しようとする課題】
【０００７】
特許文献１の保安機構によれば、蒸発部の熱源の温度異常によって、液相の液化ガスがガス消費機器に供給されるのを防止することができる。また、保安機構がリセットされたことを、外部から一目で認識できれば安全運転を一層確実にすることができる。なお、一般に、保安機構を気化圧力調整弁と切り離して、液化ガスを気化する蒸発器の温度の異常低下時に、気化圧力調整弁への液化ガスの供給を遮断するサーモバルブを設けることが知られている。この場合も、サーモバルブがリセットされたことを、外部から一目で認識できれば安全運転の信頼性を一層向上できる。
【０００８】
本発明が解決しようとする課題は、液化ガスを気化する蒸発器の温度の異常低下時に蒸発器への液化ガスの供給を遮断するサーモバルブのリセット状態を外部から一目で認識できるようにすることにある。
【課題を解決するための手段】
【０００９】
上記の課題を解決するため、本発明は、液相の液化ガスの入口に連通された入口圧力室と、液相の液化ガスの出口に連通された出口圧力室と、前記入口圧力室と前記出口圧力室との連通路を開閉する主弁と、前記連通路を閉じる方向に前記主弁を付勢する第１の弾性部材と、該第１の弾性部材の付勢力に打ち勝って前記連通路を開く方向に前記主弁を付勢する駆動部と、前記主弁をバイパスして前記入口圧力室と前記出口圧力室を連通するバイパス路と、該バイパス路を開閉するバイパス弁と、液相の液化ガスを気化させる蒸発部の温度が設定温度以下に低下したときに前記駆動部の付勢力を下げて前記主弁を閉じる制御部を備え、前記バイパス弁は、前記バイパス路を開閉する弁体と、該弁体を開閉方向に移動可能に支持する弁棒と、該弁棒を摺動自在に気密に支持するとともに本体部の外面に開口された貫通孔と、前記弁棒を前記弁体の閉方向に付勢する第２の弾性部材と、前記貫通孔の開口から突出された前記弁棒の端部にピンを介して回動可能に取り付けられたレバーとを備えてなり、前記レバーは、当該レバーが所定の方向に回動されたとき、当該レバーの先端が回動して前記本体部の外面に押接され、該押接により前記弁棒が前記貫通孔から引き出す方向に摺動されて前記弁体が前記バイパス路を開き、該レバーに加える力が解除されたとき、前記第２の弾性部材により前記弁体が押し込む方向に摺動されて前記バイパス路を閉じるように形成されてなるサーモバルブを、液化ガスの蒸発器の温度異常低下を検知して蒸発器への液化ガスの供給を遮断する保安機構として提供する。
【００１０】
本発明のサーモバルブは、液相の液化ガスを気化させる蒸発部の温度が設定温度以下に低下したときに、制御部によって主弁を開く方向に付勢する駆動部の付勢力が下げられ、第１の弾性部材の付勢力によって主弁が速やかに閉じられるので、蒸発部の熱源の温度異常（低下）によって液相の液化ガスがガス消費機器に供給されるのを防止する保安機構として動作する。なお、主弁が一旦閉じられると、蒸発部の熱源の温度異常（低下）が継続しているかぎり、出口圧力室よりも入口圧力室の圧力が高いので、主弁の全閉状態が保持されて保安機構の作動状態が維持される。この状態で、蒸発部の熱源の温度異常が解消されても、出口圧力室の圧力が入口圧力室よりも低いので、保安機構の作動状態が維持される。
【００１１】
蒸発部の熱源の温度異常が解消されたこと、及びガス消費機器等の安全を確認した後、蒸発器の定常運転を再開する際に、保安機構の作動状態をリセットしてサーモバルブを正常に動作させる必要がある。本発明によれば、レバーを回動させてバイパス弁の弁棒を引くことにより、バイパス路が開いて入口圧力室と出口圧力室の圧力差がなくなるから、制御部により駆動部の付勢力が増加されて主弁が開き、サーモバルブが正常に動作可能な状態にリセットされる。このようなリセットが行われた後は、レバーが戻ってバイパス路を閉じてもサーモバルブの機能は保持される。そこで、本発明では、レバーに加える力が解除されてレバーが初期位置に回動されたとき、第２の弾性部材によりバイパス弁の弁体が押し込まれてバイパス路を閉じて、サーモバルブが正常に動作可能な状態にリセットされる。このように、レバーを一旦引いた後、手を離せば自動的にリセットされる。また、第２の弾性部材により、レバーは所定の初期位置に戻されるから、リセット機構の作動状態を外部から一目で認識できる。なお、リセット時にバイパス弁が開き放しになっていると、次の温度異常時の保護動作に支障がある。この点、本発明によれば、リセットを行った後、バイパス弁が自動で閉じられるので、誤動作を防止することができる。
【００１２】
本発明において、前記レバーは、前記弁棒が前記貫通孔に押し込まれて前記弁体が前記バイパス路を閉じている位置で、前記ピン近傍のレバー側面が前記本体部の外面に当接するように形成されていることが望ましい。これによれば、バイパス路が閉じている正常状態を外部から確実に認識できる。
【００１３】
また、前記弁棒は、前記貫通孔の開口近傍の前記本体部に形成された溝内に摺動自在に係合された係合部を備えていることが好ましい。これによれば、レバーに加わる外力で弁棒が貫通孔の軸周りに回転するのを防止できる。
【００１４】
また、前記レバーは、前記本体部の外面に押接されて回動する前記先端の角部が前記ピンを中心として半径が徐々に大きくなる曲面に形成されてなることが好ましい。これによれば、レバーの回動が円滑になるとともに、そのレバーの回動により弁棒を円滑に引き出すことができる。
【発明の効果】
【００１５】
本発明によれば、液化ガスを気化する蒸発器の温度の異常低下時に蒸発器への液化ガスの供給を遮断するサーモバルブのリセット状態を外部から一目で認識できる。
【図面の簡単な説明】
【００１６】
【図１】本発明のサーモバルブの一実施例の構成図を示す。
【図２】図１の実施例のサーモバルブが適用される蒸発器の構成を示す図である。
【図３】図２の蒸発器の気化圧力調整弁の構成を示す図である。
【発明を実施するための形態】
【００１７】
以下、図１〜３を参照して、本発明のサーモバルブの一実施例を説明する。本実施例の蒸発器１００は、図２に示すように、蒸発部１１０と、蒸発部１１０の上部に設けられた気化圧力調節弁１３０と、気化圧力調節弁１３０に供給される液相の液化ガスの入口側に設けられたサーモバルブ１と、蒸発器１００に設けられる電気機器を制御する制御器１５０を備えて形成される。蒸発部１１０は、アルミニウムなどの金属部材により形成されたブロック状の熱媒体１１１を有し形成されている。熱媒体１１１には、図において上面から底部にわたって穿設された熱交換流路１１２と、熱交換流路１１２の下端に連通して熱媒体１１１内に形成された底部空間１１３が形成されている。熱交換流路１１２の上端は熱媒体１１１の頂面に形成された蒸発面１１４に開口されている。
【００１８】
また、熱媒体１１１の上部に、熱源としての電気ヒータ１１５が横方向に挿入して設けられている。さらに、電気ヒータ１１５の上側の熱媒体１１１に、熱媒体１１１の温度を検出する感温筒１１６が挿入されている。また、底部空間１１３には、気化された液化ガスを図示していないガス消費機器に供給する液化ガスの出口ノズル１１７が連通して設けられている。出口ノズル１１７には、仕切弁１１８を介して安全弁１１９が接続されている。また、底部空間１１３の底部は、仕切弁１２０を有するドレン管１２１が接続されている。
【００１９】
気化圧力調整弁１３０は、図３に示すように、蒸発面１１４に開口された出口圧力室１３１に吹き出す液相の液化ガスを制御する調整弁１３２が設けられている。調整弁１３２の入口１３３は、後述するサーモバルブ１の出口に連結され、液相の液化ガスが供給されるようになっている。調整弁１３２は、弁体１３４をスプリング１３５により弁座１３６に押接して形成されている。また、弁体１３４が弁棒１３７により弁座１３６から離す方向に押されたとき、噴出穴１３８から液相の液化ガスが出口圧力室１３１に引き出されるようになっている。一方、出口圧力室１３１に連通された圧力室１３９に臨ませてダイアフラム１４０が設けられ、ダイヤフラム１４０はスプリング１４１により図において下方に付勢されている。ダイアフラム１４０の中心部にステム１４７が固定され、ステム１４７は出口圧力室１３１の隔壁１４２に穿設された貫通孔１４３に挿通して設けられている。また、出口圧力室１３１内には、三角形の可動片１４４が隔壁１４２から垂下された支持部材１４５に回動可能に支持されている。そして、可動片１４４の１辺にステム１４７の先端が当接され、他の１辺に弁棒１３７の先端が当接されている。このように構成されることから、気化圧力調整弁１３０は、出口圧力室１３１の圧力が調節ねじ１４６により設定されたスプリング１４１とバランスするように、可動片１４４を回動させて弁棒１３７を介して弁体１３４を開閉し、出口圧力室１３１に供給される液相の液化ガスの量を調整するようになっている。
【００２０】
このように構成されることから、蒸発器１００は、気化圧力調整弁１３０から蒸発面１１４に向けて噴出される液相の液化ガスを電気ヒータ１１５で加熱された熱媒体１１１と接触する過程、及び熱交換流路１１２を流通する過程で気化するとともに昇温して、出口ノズル１１７を介してガス消費機器に供給する。電気ヒータ１１５は感温筒１１６により検出される熱媒体１１１の温度に基づいて、制御器１５０により制御される。また、気化圧力調整弁１３０は、ガス消費機器のガス消費量に追従して出口圧力室１３１の圧力を設定圧に制御することにより、蒸発部１１０に供給する液相の液化ガスの供給量を制御する。
【００２１】
次に、本発明の特徴であるサーモバルブ１について、図１を参照して説明する。図１（Ａ）はサーモバルブ１の上面図であり、（Ｂ）は同図（Ａ）の線Ｂ−Ｂにおける断面図である。図に示すように、サーモバルブ１は直方体状に形成された本体部であるバルブブロック２を用いて形成されている。バルブブロック２には、液相の液化ガスの入口３に連通された入口圧力室４と、液相の液化ガスの出口５に連通された出口圧力室６とが形成されている。入口圧力室４と出口圧力室６とは円筒状に形成され、互いに開口を介して連通されている。本実施例では、出口圧力室６の内径が入口圧力室４の内径よりも小さいことから、入口圧力室４と出口圧力室６との連通部の出口圧力室６側に段部７が形成される。この連通路の段部７を弁座として、連通路を開閉する弁体８からなる主弁が形成されている。弁体８は第１の弾性部材であるスプリング１６により連通路を閉じる方向に付勢されている。また、弁体８は弁棒９を介して連通路を開く方向に弁体８を付勢する駆動部である温度制御部１０に支持されている。円筒状のケース１１内に筒状に形成されたベローズ１２が収容され、ベローズ１２の軸心に位置させて弁棒９がベローズ受け１２ａを介してベローズ１２の上端に支持されている。弁棒９は、バルブブロック２に穿設された貫通孔１３にブッシング１３ａを介して摺動可能に挿入され、先端に弁体８が固定されている。弁棒９と貫通孔１３の摺動面にＯリング１４が介装され、これによりシールされている。また、ケース１１に連通して設けられたノズル１１ａは、蒸発器１００の蒸発部１１０の熱媒体１１１の温度を計測する図示していない感温筒の熱媒管路が連結されるようになっている。したがって、ケース１１内部のベローズ１２とベローズ受け１２ａの外周側に感温筒の熱媒（封入液）と同じ熱媒が流入するようになっている。
【００２２】
次に、サーモバルブ１のリセット機構について説明する。本実施例では、主弁を構成する弁体８をバイパスして入口圧力室４と出口圧力室６を連通するバイパス路１５が設けられている。バイパス路１５は鉤型に曲げて形成され、その曲げ部にバイパス路１５を開閉するバイパス弁が設けられている。バイパス弁は、バイパス路を開閉する弁体１７と、弁体１７を開閉方向に移動可能に支持する弁棒１８と、弁棒１８を摺動自在に気密にバルブブロック２に支持する貫通孔１９から形成されている。貫通孔１９は本体部であるバルブブロック２の外面に開口されている。弁棒１８は、弁体１７に固定された小径部１８ａと、小径部１８ａに続く中径部１８ｂと、中径部１８ｂに続く大径部１８ｃと、大径部１８ｃに続く中径部１８ｄを有して形成されている。小径部１８ａの外周にＯリングが装着されている。また、大径部１８ｃに対応する部分の貫通孔１９は、大径部１８ｃが軸方向に摺動可能に形成されている。貫通孔１９の開口端には、フランジ２０がボルト２１によりバルブブロック２に取り付けられている。フランジ２０は、貫通孔１９に挿入される筒状部２０ａを有し、筒状部２０ａの内周面に第２の弾性部材であるスプリング２５を収容するように形成されている。スプリング２５の一端は、弁棒１８の大径部１８ｃに当接し、
他端は筒状部２０ａの内周面に形成された段部２０ｂに当接して装着される。これにより、弁体１７がバイパス路１５を閉じる方向に弁棒１８を付勢する。
【００２３】
一方、貫通孔１９の開口端、本実施例ではフランジ２０に延設して設けられた貫通孔２０ｃから突出された弁棒１８の端部にピン２２を介してレバー２３が回動可能に取り付けられている。弁棒１８の端部１８ｅは、間隔を明けて形成された一対の平板２４ａ，ｂを有して形成され、一対の平板２４ａ，ｂの間にレバー２３を挿入してピン２２により連結されている。したがって、レバー２３が所定の方向である図示Ａの方向に回動されたとき、レバー２３の先端２３ａが回動して本体部であるバルブブロック２に固定されたフランジ２０の外表面に押接される。これにより、弁棒１８が貫通孔１９及び貫通孔２０ｃから引き出される方向に摺動し、弁体１７がバイパス路１５を開く。そして、レバー２３に加える力を解除すると、第２の弾性部材であるスプリング２５により弁棒１８が貫通孔１９に押し込まれる。これにより、弁体１７がバイパス路１５を閉じる。
【００２４】
ここで、レバー２３は、弁棒１８が貫通孔１９に押し込まれ、弁体１７がバイパス路１５を閉じている位置で、ピン２２の近傍のレバー側面が本体部の外面に相当するフランジ２０の外表面に当接するように形成されている。これにより、バイパス路１５が閉じている正常状態を外部から確実に認識できる。レバー２３は、フランジ２０の外表面に押接されて回動する先端２３ａの角部の形状が、ピン２２を中心として半径が徐々に大きくなる曲面に形成されている。これにより、レバー２３の回動が円滑になるとともに、レバー２３の回動により弁棒１８を円滑に引き出すことができる。また、図示していないが、弁棒１８は、貫通孔１９及びフランジ２０の貫通孔２０ｃの開口近傍に溝を形成し、その溝内に摺動自在に係合された係合部を備えていることが好ましい。これによれば、レバー２３に加わる外力で弁棒１８が貫通孔１９の軸周りに回転するのを防止できる。
【００２５】
このように形成されることから、本実施例のサーモバルブ１によれば、液相の液化ガスを気化させる蒸発部１１０の温度が設定温度（例えば、３８℃）以下に低下したときに、温度制御部１０のケースに連結された感温筒内の封入液が収縮する。これにより、ベローズ１２が伸びて、弁体８を開く方向に付勢する駆動部である温度制御部１０の付勢力が低下する。その結果、第１の弾性部材であるスプリング１６の付勢力によって弁体８が速やかに入口圧力室４と出口圧力室６の連通部を閉じる。したがって、蒸発部１１０の熱源の温度異常低下に起因して、液相の液化ガスがガス消費機器に供給されるのを防止する保安機構として動作する。
【００２６】
ここで、主弁の弁体８が一旦閉じられると、蒸発部１１０の熱源の温度異常低下が継続しているかぎり、出口圧力室６よりも入口圧力室４の圧力が高いので、弁体８の全閉状態が保持されて保安機構の作動状態が維持される。この状態で、蒸発部１１０の熱源の温度異常が解消されても、出口圧力室６の圧力が入口圧力室４よりも低いので、弁体８の全閉状態が保持されて保安機構の作動状態が維持される。
【００２７】
そして、蒸発部１１０の熱源の温度異常が解消されたこと、及びガス消費機器等の安全を確認した後、蒸発器１００の定常運転を再開する際、保安機構であるサーモバルブ１の作動状態をリセットして、サーモバルブ１を正常に動作させる必要がある。本実施例によれば、レバー２３を回動してバイパス弁の弁棒１８を引き出すことにより、バイパス路１５が開いて入口圧力室４と出口圧力室６の圧力差がなくなる。これにより、温度制御部１０により弁棒９の付勢力が増加されて弁体８が開き、サーモバルブ１が正常に動作可能な状態にリセットされる。このようなリセットが行われた後は、レバー２３が戻ってバイパス路１５を閉じてもサーモバルブ１の機能は保持される。また、本実施例では、レバー２３に加える力が解除されてレバー２３が初期位置に回動されたとき、スプリング２５により弁体１７が押し込まれてバイパス路１５を閉じて、サーモバルブ１が正常に動作可能な状態にリセットされる。つまり、レバー２３を一旦引いた後、手を離せば自動的にリセットされる。また、スプリング２５により、レバー２３は所定の初期位置に戻されるから、リセット機構の作動状態を外部から一目で認識できる。なお、リセット時にバイパス路１５が開き放しになっていると、次の温度異常時の保護動作に支障がある。この点、本実施例によれば、リセットを行った後、バイパス路１５が自動で閉じられるので、誤動作を防止することができる。
【符号の説明】
【００２８】
１  サーモバルブ
２  バルブブロック
３  入口
４  入口圧力室
５  出口
６  出口圧力室
７  連通路
８  弁体
９  弁棒
１０  温度制御部
１１  ケース
１２  ベローズ
１２ａ  ベローズ受け
１３  貫通孔
１３ａ  ブッシング
１５  バイパス路
１７  弁体
１８  弁棒
１９  貫通孔
２０  フランジ
２２  ピン
２３  レバー
２３ａ  先端
２４ａ，ｂ  平板
２５  スプリング
【図１】
2014194257.tif 000003
【図２】
2014194257.tif 000004
【図３】
2014194257.tif 000005